(57)【要約】【課題】  プロペラファンを適用でき、通風抵抗を低減して大空間に好適な空気調和機の室内機を提供する。【解決手段】  筐体内に収容され、回転軸を水平方向に向けて配置された少なくとも１つのプロペラファン１０８ａ、ｂと、プロペラファン１０８を回転駆動するモータ１０９と、プロペラファン１０８が配置された空間の両側面に設けられる熱交換器１０７ａ、ｂと、筐体の両側壁に形成された吸込口１１１ａ、ｂと、プロペラファン１０８の吹出側と対向する筐体の壁に形成された吹出口１１０ａ、ｂを備え、熱交換面積を大きくして通風抵抗を低減できるから、プロペラファン１０８ａ、ｂを適用した大空間に好適な室内機１０１を提供できる。【選択図】図１
2010243081.tif 000002
【特許請求の範囲】
【請求項１】
筐体内に収容され、回転軸を水平方向に向けて配置された少なくとも１つのプロペラファンと、該プロペラファンを回転駆動するモータと、前記プロペラファンが配置された空間の両側面に設けられる熱交換器と、前記筐体の両側壁に形成された吸込口と、前記プロペラファンの吹出側と対向する前記筐体の壁に形成された吹出口を備える空気調和機の室内機。
【請求項２】
請求項１に記載の空気調和機の室内機において、
前記空間の背面に熱交換器が配置され、前記筐体の上面背面側に吸込口が形成され、
前記背面の熱交換器と前記筐体背面の間には、前記上面背面側の吸込口から吸い込まれる空気を前記背面の熱交換器に導く通風路が形成されていることを特徴とする空気調和機の室内機。
【請求項３】
請求項１に記載の空気調和機の室内機において、
前記空間の底面に熱交換器が配置され、前記筐体の前面底部に吸込口が形成され、
前記底面の熱交換器と前記筐体底面との間には、前記前面底部の吸込口から吸い込まれる空気を前記底面の熱交換器に導く通風路が形成されていることを特徴とする空気調和機の室内機。
【請求項４】
請求項１に記載の空気調和機の室内機において、
前記空間の背面及び底面に熱交換器が配置され、前記筐体の上面背面側及び前面底部に吸込口が形成され、
前記背面の熱交換器と前記筐体背面の間には、前記上面背面側の吸込口から吸い込まれる空気を前記背面の熱交換器に導く通風路が形成され、
前記底面の熱交換器と前記筐体底面との間には、前記前面底部の吸込口から吸い込まれる空気を前記底面の熱交換器に導く通風路が形成されていることを特徴とする空気調和機の室内機。
【請求項５】
請求項１乃至４のいずれかに記載の空気調和機の室内機において、
前記プロペラファンは前記筐体の上段と下段に配置され、前記プロペラファンの前記回転軸方向の長さに対応する以上の大きさの前記プロペラファン間の領域を仕切る電気箱が配置されることを特徴とする空気調和機の室内機。
【請求項６】
請求項１乃至４のいずれかに記載の空気調和機の室内機において、
前記吹出口は前記プロペラファンに対応する円形に形成され、前記吹出口の内周側には前記プロペラファンと同心円に形成される複数のブレードが備えられ、該ブレードは前記プロペラファンの前記回転軸から離れる方向に角度を有して形成されていることを特徴とする空気調和機の室内機。
【請求項７】
請求項１乃至４のいずれかに記載の空気調和機の室内機において、
前記プロペラファンは前記回転軸の向きを上下方向と左右方向に調整可能に形成されていることを特徴とする空気調和機の室内機。
【発明の詳細な説明】
【技術分野】
【０００１】
本発明は、空気調和機の室内機に係り、特に、プロペラファンで室内の空気を吸い込み熱交換した空気を室内に吹き出す室内機に関する。
【背景技術】
【０００２】
例えば、特許文献１のように、建物全域など大空間を空気調和する室内機として、室内機の吹き出し側にダクトを接続し、ダクトを介して室内機から離れた位置に熱交換した空気を送風する室内機が提案されている。この場合、ダクトによる通風抵抗が大きいため、圧力上昇が大きないわゆるシロッコファンを採用するようにしている。
【０００３】
一方、特許文献２には、室内機内にプロペラファンを収容し、プロペラファンの吸い込み側を室内機の背面側に向けて配置し、室内機の背面に形成した吸込口から室内の空気を吸い込み吸込口側に設けた熱交換器を通過させ、熱交換した空気を室内機の前面からプロペラファンで室内に吹き出すことが提案されている。また、同文献によれば、室内機の背面底部側を壁に固定して室内機を前傾させ、室内機背面の吸込口と壁との間に通風路を形成し、吸込口から空気を吸い込めるようにしている。
【先行技術文献】
【特許文献】
【０００４】
【特許文献１】特開２００４―２９３９７７号公報
【特許文献２】特開２００４−２６３９２７号公報
【発明の概要】
【発明が解決しようとする課題】
【０００５】
ところで、プロペラファンは少ない入力（エネルギー）で大風量を実現しやすいから、室内空間が広いホールなどの室内機に適用すると、少ないエネルギーで室内機から離れた位置に熱交換した空気を送風することができる点で好ましい。
【０００６】
しかし、プロペラファンは、圧力上昇が小さく、通風路の通風抵抗が大きい場合はプロペラファンを採用できないという問題がある。そのため、特許文献２の室内機のように、室内機の吸込口と壁との間に吸い込み通風路形成すると、吸い込み通風路による通風抵抗が大きくなり、プロペラファンでは所望の風量が得られないという問題がある。
【０００７】
本発明が解決しようとする課題は、プロペラファンを適用でき、通風抵抗を低減して大空間に好適な空気調和機の室内機を提供することにある。
【課題を解決するための手段】
【０００８】
上記の課題を解決するため、本発明の空気調和機の室内機は、筐体内に収容され、回転軸を水平方向に向けて配置された少なくとも１つのプロペラファンと、プロペラファンを回転駆動するモータと、プロペラファンが配置された空間の両側面に設けられる熱交換器と、筐体の両側壁に形成された吸込口と、プロペラファンの吹出側と対向する筐体の壁に形成された吹出口を備えたことを特徴とする。
【０００９】
これによれば、プロペラファンが配置される空間の両側面に熱交換器を配置して、熱交換器の面積を大きくしたことから、熱交換器による通風抵抗を小さくできる。その結果、室内機にプロペラファンを適用して風量を増加できるので、室内機から離れた位置まで熱交換した空気を送風でき、大空間に好適な空気調和機の室内機を提供できる。また、室内機の背面側を壁に押し付けるように室内機を配置する場合であっても、吸込口周りの空間を広く確保できるので、吸い込みによる通風抵抗を一層低減できる。
【００１０】
さらに、熱交換器の面積を大きくして、熱交換器による通風抵抗を一層小さくすることが好ましい。例えば、プロペラファンが配置される空間の両側面に加えて背面に熱交換器を配置し、筐体背面と熱交換器の間に通風路を形成し、筐体上面の背面側（及び／又は両側面）から吸い込んだ空気を、背面の通風路を介して熱交換器に導くようにすることができる。また、プロペラファンが配置される空間の底面側に熱交換器を配置し、筐体底面と熱交換器の間に通風路を形成し、筐体正面の底面側（及び／又は両側面）から吸い込んだ空気を底面の熱交換に導くようにすることができる。
【００１１】
これらによれば、熱交換面積を増大でき、熱交換器の伝熱管などを密に配置することなく所望の熱交換量を確保できるから、熱交換器自体の通風抵抗を低減でき、室内に吹き出す風量を一層増加させた大空間に好適な空気調和機の室内機を提供できる。
【００１２】
なお、プロペラファンが配置される空間の上面側に熱交換器を配置すると、冷房運転時に吸い込んだ空気に含まれる水分が熱交換器で結露してプロペラファンやモータに落下して、モータの故障などが発生するおそれがある。そこで、プロペラファンが配置される空間の上面を除いた両側面、背面、底面に熱交換器を配置することで、結露した水が落下することを回避できる。
【００１３】
また、プロペラファンを上段と下段に配置する場合は、プロペラファンの回転軸方向の長さに対応する以上の大きさのプロペラファン間の領域を電気箱で仕切ることで、プロペラファン間に発生する気流の乱れを電気箱で遮断でき、プロペラファンのエネルギーロスや気流の乱れにより発生する騒音を低減できる。
【００１４】
また、円形に形成した吹出口の内周側に、プロペラファンと同心円に形成したブレードを複数設け、プロペラファンの回転軸から離れるようにブレードに角度を持たせることで、熱交換した空気を大空間内に拡散させるように送風することができ、大空間内の温度を均一にしやすくできる。
【００１５】
また、プロペラファンの回転軸の向きを上下方向と左右方向に調整可能形成することで、空気調和の対象となる大空間の状況に応じて風向を変えることができる。
【発明の効果】
【００１６】
本発明によれば、プロペラファンを適用でき、通風抵抗を低減して大空間に好適な空気調和機の室内機を提供することができる。
【図面の簡単な説明】
【００１７】
【図１】本発明の実施形態１の室内機の正面図である。
【図２】図１の側面図である。
【図３】本発明の実施形態２の室内機の正面図である。
【図４】図３の上面図である。
【図５】本発明の実施形態３の室内機の正面図である。
【図６】図５の上面図である。
【図７】本発明の実施形態４の室内機の側面図である。
【図８】図７の風向ガイドの平面図である。
【図９】本発明の実施形態５の室内機の上面図である。
【発明を実施するための形態】
【００１８】
以下、本発明を実施の形態に基づいて説明する。
（実施形態１）
図１に実施形態１の空気調和機の室内機の正面図を示し、図２に図１の側面図を示す。図示のとおり、実施形態１の室内機１０１は、いわゆる床置き型の室内機１０１であり、空気調和の対象となる大空間、例えば、体育館、コンサートホール、スーパーマーケットなどの床に設置されるようになっている。室内機１０１は、天板１０２、底板１０３、正面板１０４、背面板１０５及び一対の側板１０６により筐体が略直方体になるよう形成されている。一対の側板１０６のそれぞれには、矩形の吸込口１１１ａ、ｂが形成されている。正面板１０４の底部側には、矩形の吸込口１１１ｃが形成されている。正面板１０４の中段には、室内機１０１の操作パネル１２０が取り付けられている。
【００１９】
室内機１０１内には、回転軸を水平方向に向けて配置されるプロペラファン１０８ａ、ｂが収容されている。プロペラファン１０８ａは室内機１０１の上段側に配置され、プロペラファン１０８ｂは室内機１０１の下段側に配置されている。プロペラファン１０８ａ、ｂは、例えば、樹脂により一体成型され、背面板１０５側が吸い込み側となり、正面板１０４側が吹き出し側となるよう取り付けられている。各プロペラファン１０８ａ、ｂの吹き出し側と対向する正面板１０４には、円形の吹出口１１０ａ、ｂが形成されている。各吹出口１１０ａ、ｂには、風向ガイド１１３が備えられている。各プロペラファン１０８ａ、ｂの吸い込み側には、プロペラファン１０８ａ、ｂを回転駆動するモータ１０９が備えられている。モータ１０９は、例えば、ＤＣモータであり、回転数を制御できるようになっている。プロペラファン１０８ａ、ｂの間には、プロペラファン１０８ａ、ｂの回転軸方向の長さに対応する以上の大きさの電気箱１１２が配置され、プロペラファン１０８ａ、ｂ間の領域を電気箱１１２で仕切るようになっている。電気箱１１２には、例えば、プロペラファン１０８ａ、ｂの回転数を制御する図示していない制御手段のプリント基板などが収容されている。
【００２０】
プロペラファン１０８ａ、ｂが配置される空間の両側面には、熱交換器１０７ａ、ｂが配置され、底面側には熱交換器１０７ｃが配置されている。熱交換器１０７ａ，ｂは、吸込口１１１ａ、ｂに沿うように配置されている。熱交換器１０７ｃは、熱交換器１０７ｃと底板１０３との間の隙間が通風路となるよう配置され、吸込口１１１より高い位置に配置されている。熱交換器１０７ａ、ｂ、ｃは、例えば、一枚の板を曲げて形成され、上側が開口となるよう鉛直方向にＵ字形に配置されている。熱交換器１０７ａ、ｂ、ｃの伝熱管には、図示していない室外機から冷媒が導入される配管と、室外機へ冷媒を排出する配管が接続されている。なお、熱交換器１０７ａ、ｂ、ｃと室外機を接続する配管は、室内機１０１の配置場所などによって適宜選択できる。
【００２１】
次に、実施形態１の室内機１０１の動作を説明する。室内機１０１を稼動させると、モータ１０９が駆動する。モータ１０９の駆動に伴ってプロペラファン１０８ａ、ｂが回転して吸込口１１１ａ、ｂ、ｃから室内の空気が室内機１０１内に吸い込まれる。一対の側板１０６に形成した吸込口１１１ａ、ｂから吸い込まれた空気は、主に両側面の熱交換器１０７ａ、ｂを通過する。また、吸込口１１１ａ、ｂの一部は、熱交換器１０７ｃと底板１０３の間の通風路を介して熱交換器１０７ｃを通過する場合がある。吸込口１１１ｃから吸い込まれた室内の空気は、熱交換器１０７ｃと底板１０３の間の通風路を介して熱交換器１０７ｃを通過する。
【００２２】
吸い込まれた空気は、熱交換器１０７ａ、ｂ、ｃを通過する過程で、熱交換器１０７ａ、ｂ、ｃ内を通流する冷媒と熱交換することで冷暖される。熱交換した空気は、プロペラファン１０８ａ、ｂ内に吸い込まれる。この吸い込まれた空気は、プロペラファン１０８ａ、ｂと対向する位置に形成された吹出口１１０ａ、ｂと風向ガイド１１３を介して大空間内に吹き出される。プロペラファン１０８ａ、ｂの風向は主に回転軸方向であるから、室内機１０１から吹き出された空気は回転軸方向に沿って大空間内を直線的に移動するため、室内機１０１から離れた位置まで冷暖した空気を送風できる。
【００２３】
これによれば、プロペラファン１０８ａ、ｂが配置される空間の両側面に熱交換器１０７ａ、ｂを配置して、吸い込んだ空気が通過する熱交換器１０７ａ、ｂの面積を大きくたことから、熱交換器による通風抵抗（室内機内の静圧）を小さくできる。その結果、室内機１０１に圧力上昇が小さなプロペラファン１０８ａ、ｂを適用して風量を増加できるので、室内機１０１から離れた位置まで熱交換した空気を送風でき、大空間に好適な空気調和機の室内機１０１を提供できる。また、室内機１０１の背面側を壁に押し付けるように室内機１０１を配置する場合であっても、吸込口１１１ａ、ｂ、ｃ周りの空間を広く確保できるので、吸い込みによる通風抵抗を一層低減できる。
【００２４】
さらに、プロペラファン１０８ａ、ｂが配置される空間の底面側に熱交換器１０７ｃを配置して熱交換面積を大きくしたので、熱交換器１０７ａ、ｂ、ｃの伝熱管などを密に配置することなく所望の熱交換量を得ることができ、熱交換器１０７ａ、ｂ、ｃ自体の通風抵抗も低減したことから、室内に吹き出す風量を一層増加でき、かつ、風量増加による必要エネルギーの上昇を抑えることができる。例えば、単にモータの回転数を上げて風量を増加させるだけでは、通風抵抗が大きくなり、風量比の３乗に比例して必要エネルギーが増加する。しかし、本実施形態は、熱交換器面積を増加させて、熱交換器自体の通風抵抗を低減したから、風量増加に伴う必要エネルギーの上昇を抑えることができる。その結果、ＣＯＰ（エネルギー消費効率）やＡＰＦ（通年ネルギー消費効率）を向上できる。なお、空気調和の対象となる空間の大きさなどに応じて、底面側の熱交換器１０７ｃを省略することができる。
【００２５】
また、熱交換面積を大きくしたから、例えば、複数の熱交換器を重ね合わせるように複数列配置する場合であっても、熱交換器の列数を少なく（例えば、２列以下）することができる。
【００２６】
また、プロペラファン１０８ａ、ｂは、樹脂で一体成型することが好ましい。これによれば、板金をかしめ、組み立てて成型するシロッコファンに比べてファンを安価にできる。
【００２７】
また、上段のプロペラファン１０８ａと下段のプロペラファン１０８ｂの間に電気箱１１２を配置し、プロペラファン１０８ａ、ｂ間を電気箱１１２で仕切ったことから、プロペラファン１０８ａ、ｂ間に発生する気流の乱れを電気箱１１２で遮断でき、プロペラファンのエネルギーロスや気流の乱れにより発生する騒音を低減できる。
【００２８】
さらに、プロペラファン１０８ａ、ｂのファン径を室内機１０１の幅方向に大きくすることで、少ない回転数で大風量を得ることができ、モータ１０９などにより発生する騒音を低減できる。例えば、径がφ５５０程度のプロペラファンを２個使用し、プロペラファン１個あたりの回転数を６００ｒ／ｍｉｎ制御した場合、プロペラファンによる送風量の合計は約９０ｍ３／ｍｉｎと大風量にでき、そのときの騒音値は４７ｄＢ程度と小さくできたから、比較的低騒音が要求されるホールなどに好適な空気調和機を提供できる。なお、騒音値の測定位置は、室内機１０１の正面から１ｍ離れた場所の高さ１．５ｍの位置（平均的な人の顔の位置）である。
【００２９】
また、室内機１０１に２つのプロペラファン１０８ａ、ｂを配置したが、室内機１０１に求められる冷暖能力などに応じて、プロペラファンの設置数を適宜増減できる。例えば、プロペラファンを２段２列や３段３列などにすることもでき、プロペラファンを１つにすることもできる。なお、プロペラファンを増加した場合は、電気箱１１２がない位置のプロペラファン間に仕切り板などを配置して、プロペラファン間の気流の乱れを防止できる。
【００３０】
また、ダクトを使用することなく室内機１０１から離れた位置に熱交換した空気を送風することができるから、ダクトによる圧力損失がなく、送風のためのエネルギーを低減できる。さらに、ダクトを使用しないことから、室内機１０１の設置工事を容易にできる。つまり、ダクトを使用すると、ダクトを天井に這わせ、冷気が出るダクト吹出口を、天井に配置する工事が必要であるから、建物の建設時であればダクト設置工事は容易にできるが、リニューアル（室内機の交換）においては採用できない場合がある。特に、スーパーマーケットのように年中無休のような場所に適用する場合は、設置工事の時間を長くとれないことから、工事時間を短縮できることで、室内機を交換しやすくできる。また、天井などの高所の作業を低減できることから、室内機をより交換しやすくできる。
【００３１】
なお、実施形態１は、床置き型の室内機を例として説明したが、実施形態１はこれに限定されるものではない。例えば、設置対象の大空間の壁などから支持板を水平方向に延在して、支持板の上に室内機１０１を載置して固定することができる。例えば、大空間の上方に室内機１０１を設置して室内機１０１を冷房運転すると、室内機１０１から吹き出された冷気が次第に下降するため、人が多いい下方の空間を冷房しやすくできる。
【００３２】
（実施形態２）
図３に実施形態２の空気調和機の室内機の正面図を示し、図４に図３の上面図を示す。実施形態２が実施形態１と相違する点は、底面側に熱交換器１０７ｃを設けず、プロペラファン１０８ａ、ｂが配置される空間の背面側に熱交換器１０７ｄを配置した点である。さらに、正面板１０４の底部に吸込口を設けず、天板１０２の背面側に矩形の吸込口１１１ｄを形成した点である。そして、熱交換器１０７ｄと背面板１０５の間に隙間を形成し、その隙間を吸込口１１１ｄから熱交換器１０７ｄまでの通風路としている点である。その他の構成は実施形態１と同一であるから同一の符号を付して説明を省略する。なお、図４は、天板１０２の記載を省略して図示をわかりやすくした。
【００３３】
熱交換器１０７ａ、ｂ、ｄは、室内機１０１の正面側が開口するよう水平方向の断面がＵ字形に配置されている。熱交換器１０７ｄには、主に吸込口１１１ｄから吸い込まれた空気が熱交換器１０７ｄと背面板１０５の間の通風路を介して導かれるようになっている。また、吸込口１１１ａ、ｂから吸い込まれた空気の一部も通風路を介して熱交換器１０７ｄに吸い込まれるようになっている。
【００３４】
これによっても、熱交換面積を大きくでき、熱交換１０７ａ、ｂ、ｄの伝熱管を密に配置することなく所望の熱交換量を得ることができるから、プロペラファン１０８ａ、ｂを室内機１０１に適用して風量を増加でき、大空間に好適な空気調和機の室内機１０１を提供できる。また、プロペラファン１０８ａ、ｂが配置される空間は、底面側より背面側の方が空間を大きく確保しやすことから、背面側に熱交換器１０７ｄを配置することで、熱交換器の面積を一層増加できる。さらに、室内機１０１の天板１０２から室内の空気を吸い込むようにしたことから、室内機１０１の背面側を壁などに接するように配置でき、室内機１０１を設置するための空間を少なくできる。
【００３５】
なお、プロペラファン１０８ａ、ｂ間に電気箱１１２を配置する場合は、熱交換器１０７ｄと背面板１０５の間の通風路を遮らない大きさにすることで、吸込口１１１ｄから吸い込んだ室内の空気を下段側のプロペラファン１０８ｂにも送ることができる。
【００３６】
（実施形態３）
図５に実施形態３の空気調和機の室内機の正面図を示し、図６に図５の上面図を示す。実施形態３が実施形態１と相違する点は、プロペラファン１０８ａ、ｂが配置される空間の両側面及び底面に加えて、背面に熱交換器１０７を設置した点である。そして、天板１０２の背面側に矩形の吸込口１１１ｄを形成した点である。そして、熱交換器１０７ｄと背面板１０５の間に隙間を形成し、その隙間を吸込口１１１ｄから熱交換器１０７ｄまでの通風路としている点である。その他の構成は実施形態１と同一であるから同一の符号を付して説明を省略する。なお、図６は、天板１０２の記載を省略して図示をわかりやすくした。
【００３７】
これによれば、プロペラファン１０８ａ、ｂが配置される空間の両側面、底面、背面に熱交換器１０７ａ、ｂ、ｃ、ｄを配置したことから、熱交換器面積をより一層増加できる。その結果、吹き出し風量も一層増加でき、より大きな空間に好適な空気調和機の室内機を提供できる。
【００３８】
さらに、プロペラファン１０８ａ、ｂの上面側に熱交換器を配置していないことから、冷房運転時に吸い込んだ室内の空気中の水分が熱交換器で結露して、プロペラファン１０８ａ、ｂやモータ１０９に落下することを回避でき、結露水によるモータ１０９などの故障を防止できる。一般に室内機は、室外機のように雨にさらされる環境に配置することを想定していないから、モータ１０９などに防水加工をしない場合が多く、モータなどに水が侵入すると故障するおそれがある。そのため、上面側を除く両側面、底面、背面に熱交換器を配置することで、室内機１０１を安定して運転できる。
【００３９】
（実施形態４）
図７に実施形態４の空気調和機の室内機の側面図を示し、図８に図７の風向ガイドの平面図を示す。実施形態４が実施形態１と相違する点は、風向ガイド１１３に代えて、吹出口１１０ａ、ｂに風向ガイド３０１を取り付けた点である。その他の構成は実施形態１と同一であるか同一の符号を付して説明を省略する。
【００４０】
風向ガイド３０１は矩形に形成されている。風向ガイド３０１には、プロペラファン１０８ａ、ｂと同心円に形成したブレード３０３が複数設けられている。ブレード３０３は、プロペラファン１０８ａ、ｂの回転軸と対向する位置から径方向に延在させた支持部材３０５により支持され、風向ガイド３０１に固定されている。
【００４１】
これによれば、吹出口１１０ａ、ｂの風向をブレード３０３で大空間内に拡散させるようにできることから、大空間内の温度を均一にしやすくできる。つまり、プロペラファン１０８ａ、ｂは軸流タイプのファンであるため、ファンから吹き出る空気の流れは、ファン回転軸方向に流れやすい。これを、風向ガイド３０１で拡散することで大空間を均一に冷房しやすく、結果的に省エネにもつながる。
【００４２】
（実施形態５）
図９に実施形態２の変形例である実施形態５の空気調和機の室内機を上面図を示す。実施形態５が実施形態２と相違する点は、プロペラファン１０８ａ、ｂを室内機１０１の正面から突出するよう配置し、回転軸の向きを上下方向と左右方向に調整可能に形成した点である。さらに、プロペラファン１０８ａ、ｂに風向ガイド４０３を取り付けている点である。その他の構成は実施形態２と同一であるから同一の符号を付して説明を省略する。なお、図９は天板１０２の記載を省略して図示をわかりやすくした。
【００４３】
プロペラファン１０８ａ、ｂに取り付けられたモータ１０９には、例えば、図示しない球状の継手やクランク機構を有する支持部材が取り付けられている。これにより、プロペラファン１０８ａ、ｂの回転軸の向きを上下方向と左右方向に調整可能、言い換えると首振り可能に配置されている。なお、図９は、プロペラファン１０８ａ、ｂの動きを左右方向のみ図示して、上下方向の動きは記載を省略した。
【００４４】
これによれば、空気調和の対象となる大空間の状況に応じて室内機１０１の風向を変えることができるので、効率的に大空間を空気調和できる。例えば、冷気は空間の底部側に向かいやすいから、冷房運転時に上段のプロペラファン１０８ａを上方に向けることで、大空間を効率的に冷房できる。一方、暖気は空間の上方に向かいやすいから、上段のプロペラファン１０８を下方に向けることで、大空間を効率的に暖房できる。
【００４５】
また、風向ガイド４０３のブレードの角度に合わせてプロペラファン１０８ａ、ｂの風向を変えることができるから、ブレードに衝突する風量を低減でき、風向制御による騒音を低減できる。
【００４６】
なお、プロペラファン１０８ａ、ｂの向きの調整は、室内の温度などに応じて自動制御してもよく、手動で向きを変えるようにすることもできる。
【符号の説明】
【００４７】
１０１  室内機
１０７ａ、１０７ｂ、１０７ｃ、１０７ｄ  熱交換器
１０８ａ、１０８ｂ  プロペラファン
１０９  モータ
１１０ａ、１１０ｂ  吹出口
１１１ａ、１１１ｂ、１１１ｃ、１１１ｄ  吸込口
１１２  電気箱
３０１  風向ガイド
【図１】
2010243081.tif 000003
【図２】
2010243081.tif 000004
【図３】
2010243081.tif 000005
【図４】
2010243081.tif 000006
【図５】
2010243081.tif 000007
【図６】
2010243081.tif 000008
【図７】
2010243081.tif 000009
【図８】
2010243081.tif 000010
【図９】
2010243081.tif 000011